(57)【特許請求の範囲】
【請求項１】
複数の受信アンテナにより受信ダイバシチ機能を有する移動機において、
夫々の前記受信アンテナのレベル測定結果を合成し、合成後のレベル測定値を前記移動機のレベル測定結果として算出する算出部と、
前記算出部により算出された前記移動機のレベル測定結果に対して、前記受信アンテナの本数がＮ（Ｎ≧２）のとき、Ｍ（１≦Ｍ＜Ｎ）本のアンテナブランチに換算したレベル測定値を前記移動機のレベル測定結果とする補正部と、
を備えることを特徴とする移動機。
【請求項２】
更に、前記受信アンテナで受信した合成前の信号に対して重み付けを行う乗算部を備え、
前記算出部は乗算後の信号に対してレベル測定結果を合成することを特徴とする請求項１記載の移動機。
【請求項３】
前記乗算部は、前記各受信アンテナの種類又は前記受信アンテナ間の利得差に応じて異なる重み付けを行うことを特徴とする請求項２記載の移動機。
【請求項４】
更に、前記受信アンテナの受信環境に応じて、前記補正部からの補正された前記レベル測定結果又は前記算出部からの補正されていない前記レベル測定結果のいずれか一つを選択する選択部を備えることを特徴とする請求項１記載の移動機。
【請求項５】
前記受信アンテナの受信環境はセル内における干渉の大きさであり、前記選択部は、前記干渉が一定レベルより大きいときは補正後の前記レベル結果を選択し、前記干渉が一定レベル以下のときは補正されていない前記レベル測定結果を選択することを特徴とする請求項４記載の移動機。
【請求項６】
更に、受信信号の種別に応じて、前記受信ダイバシチの機能をオン又はオフにするとともに、前記補正部からの前記レベル測定結果又は前記算出部からの前記レベル測定結果のいずれか一つを選択する制御部を備えることを特徴する請求項１記載の移動機。
【請求項７】
更に、受信する周波数帯に応じて、前記受信ダイバシチの機能をオン又はオフにするとともに、前記補正部からの前記レベル測定結果又は前記算出部からの前記レベル測定結果のいずれか一つを選択する制御部を備えることを特徴とする請求項１記載の移動機。
【請求項８】
更に、通信のサービス種別に応じて、前記受信ダイバシチの機能をオン又はオフにするとともに、前記補正部からの前記レベル測定結果又は前記算出部からの前記レベル測定結果のいずれか一つを選択する制御部を備えることを特徴とする請求項１記載の移動機。
【請求項９】
前記受信ダイバシチ機能のオン又はオフ、前記補正の有無、前記補正を行う場合には補正に使用される補正係数、更に前記受信アンテナの合成前の信号に対して重み付けを行う場合には重み付け係数、を前記レベル測定結果とともに夫々基地局に報告する、ことを特徴とする請求項６乃至８記載の移動機。
【請求項１０】
前記受信ダイバシチのオン又はオフに応じて、前記移動機の圏内又は圏外判定に使用する閾値を切り替えることを特徴とする請求項６乃至８記載の移動機。
【請求項１１】
前記受信ダイバシチのオン又はオフに応じて、ハンドオーバの起動判定に使用する閾値を切り替えることを特徴とする請求項６乃至８記載の移動機。
【請求項１２】
更に、通信するサービス種別による受信ダイバシチ機能のオン又はオフに応じて、前記移動機の目標受信レベルまでの差分を電力制御情報として基地局に要求する電力制御情報生成部を備えることを特徴とする請求項６乃至８記載の移動機。
【請求項１３】
更に、前記移動機の目標受信レベルまでの差分を電力制御情報として基地局に要求する電力制御情報生成部を備え、
前記電力制御情報を要求した後に通信するサービス種別による受信ダイバシチ機能のオン又はオフを行うことを特徴とする請求項６乃至８記載の移動機。
【請求項１４】
複数の受信アンテナにより受信ダイバシチ機能を有する移動機と、前記移動機と通信する基地局とを備えるシステムにおいて、
前記移動機は、夫々の前記受信アンテナのレベル測定結果を合成し、合成後のレベル測定値を前記移動機のレベル測定結果として算出する算出部と、前記移動機のレベル測定結果に対して少なくとも１アンテナブランチに換算したレベル測定結果に補正する補正部と、受信する受信周波数帯に応じて前記受信ダイバシチの機能をオン又はオフにするとともに、前記補正部により補正された前記レベル測定結果又は前記算出部からの補正されていない前記レベル測定結果のいずれかを選択する選択制御部と、を備え、
前記基地局には、前記移動機に対して受信周波数帯を指定する周波数帯指定部と、指定した前記周波数帯に応じて、ハンドオーバ又は移動機に対する終話の起動判定に使用する閾値を切り替える切り替え部を備えることを特徴するシステム。
【請求項１５】
複数の受信アンテナにより受信ダイバシチ機能を有する移動機と、前記移動機と通信する基地局とを備えるシステムにおいて、
前記移動機は、夫々の前記受信アンテナのレベル測定結果を合成し、合成後のレベル測定値を前記移動機のレベル測定結果として算出する算出部と、前記移動機のレベル測定結果に対して少なくとも１アンテナブランチに換算したレベル測定結果に補正する補正部と、受信する受信周波数帯に応じて前記受信ダイバシチの機能をオン又はオフにするとともに、前記補正部により補正された前記レベル測定結果又は前記算出部からの補正されていない前記レベル測定結果のいずれかを選択する選択制御部と、前記受信ダイバシチのオン又はオフ、或いは前記レベル測定結果に対する補正の有無を示す測定モードを前記基地局に報告する移動機側無線制御部と、を備え、
前記基地局には、前記移動機側無線制御部からの前記測定モードに応じて、ハンドオーバ又は移動機に対する終話の起動判定に使用する閾値を切り替える切り替え部を備えることを特徴するシステム。
【発明の詳細な説明】
【技術分野】
【０００１】
本発明は、受信ダイバシチ機能を有するＷ−ＣＤＭＡ方式による移動機、及びそのシステムに関する。詳しくは、レベル測定報告値を最適化するようにした移動機等に関する。
【背景技術】
【０００２】
一般に、Ｗ−ＣＤＭＡ（Wideband-Code
Division Multiple Access）システムでは、１つの無線基地局がカバーする無線セル領域内において、同一の無線周波数を符号分割多重化により、複数の移動機が共有して通信が行われている。【０００３】
このような、Ｗ−ＣＤＭＡシステムでは、同一の無線セル領域に収容されて通信を行う移動機の数が増えるに従い、移動機間で互いに通信電波による干渉が増加する。このようなことから、セルに収容される移動機の数（容量）と通信品質とは互いにトレードオフの関係があることが知られている（例えば、以下の非特許文献１）。【０００４】
従って、システム全体の容量と各利用者の通信品質を確保する観点から、移動機と基地局との通信電力を、回線状況に応じて必要最小限になるように送信電力を制御したり、無線セル領域の境界付近で通信している移動機が想定したセル領域の外側に移動した場合、サービスエリア外（圏外）として通信を遮断する等の制御を適切に行うことが重要である。【０００５】
また、移動機は受信信号の信号レベルに関わる各種判定を行い、その結果に基づき移動機の「圏外」、「圏内」判定を行うことも求められる。【０００６】
Ｗ−ＣＤＭＡの無線規格を定義する３ＧＰＰ（3rdGeneration Partnership Project）では、以下に示す３種類の信号測定が定義されている（例えば、以下の非特許文献２の５.１章）。【０００７】
（１）ＣＰＩＣＨ＿ＲＳＣＰ（Common Pilot
Channel_Received Signal Code Power）：移動機で測定したＰｒｉｍａｒｙ  ＣＰＩＣＨ（基本パイロット信号）の受信コードパワー。【０００８】
（２）ＲＳＳＩ（Received Signal
Strength Indicator）：移動機で測定した希望波、干渉波双方含んだ受信帯域内の全電力。【０００９】
（３）ＣＰＩＣＨ＿Ｅｃ／ＮＯ（Energy per
chip/Noise Power）：移動機で測定したＣＰＩＣＨのチップあたりの電力とチップあたりの全電力の比率。【００１０】
図２０（Ａ）は、このような３種類の信号を用いた従来のＷ‐ＣＤＭＡ方式の移動機（単一アンテナ受信）の構成例を示す。【００１１】
移動機３００は、受信アンテナ３１１と、ＡＧＣ（Automatic
Gain Control amplifier）部３１２と、第１及び第２の相関値算出部３１３‐１、３１３‐２と、保存メモリ３１４、及びレベル測定部３１５とを備える。【００１２】
受信アンテナ３１１で受信した受信信号は、ＡＧＣ部３１２で適切な信号レベルに増幅された後、第１及び第２の相関値算出部３１３‐１、３１３‐２に入力される。【００１３】
第２の相関値算出部３１３‐２は、受信信号に割り当てられた拡散符号を用いて相関値を算出する。その出力に、必要な信号処理が行われ、受信信号が復号等される。【００１４】
一方、第１の相関値算出部３１３‐１は、レベル測定を行うコードチャネルに割り当てられた拡散符号を用いて相関値を算出する。その出力が、ＣＰＩＣＨ＿ＲＳＣＰ＋ＮＯ（ＮＯは雑音電力）である。この値は一旦、保存メモリ３１４に保存される。【００１５】
また、ＡＧＣ部３１２では、その制御電圧が受信信号の信号レベル（ＲＳＳＩ）に比例するため、上述のＲＳＳＩを算出できる。算出したＲＳＳＩも保存メモリ３１４に一旦、保存される。【００１６】
レベル測定部３１５では、保存メモリ３１５からＲＳＳＩとＣＰＩＣＨ＿ＲＳＣＰ＋ＮＯとを読み出し、ＣＰＩＣＨ＿ＲＳＣＰ＋ＮＯから雑音電力ＮＯを減算してＣＰＩＣＨ＿ＲＳＣＰを求め、更に、ＣＰＩＣＨ＿ＲＳＣＰをＲＳＳＩで除算することでＣＰＩＣＨ＿Ｅｃ／ＮＯを算出する。【００１７】
レベル測定部３１５は、算出したＣＰＩＣＨ＿ＲＳＣＰとＣＰＩＣＨ＿Ｅｃ／ＮＯ、及び保存メモリ３１４から読み出したＲＳＳＩとを上位レイヤに出力（報告）する。そして、これら３種類のレベルが、移動機の「圏外」、「圏内」判定に利用される。【００１８】
これらの３種類のレベルの報告の定義については、以下の非特許文献２の５．１章に規定されているが、受信ダイバシチを考慮した規定は特になされていない。【００１９】
図２０（Ｂ）は、図２０（Ａ）の構成に基づいて考えられる、受信ダイバシチ機能を有する場合のＷ‐ＣＤＭＡ方式の移動機の構成例を示す。【００２０】
移動機３３０は、第１及び第２の受信アンテナ３３１‐１、３３１‐２と、第１及び第２のＡＧＣ部３３２‐１、３３２‐２と、第１乃至第３の相関値算出部３３３‐１〜３３３‐３と、合成部３３４と、保存メモリ３３５、及びレベル測定部３３６を備える。【００２１】
第１及び第２の受信アンテナ３３１‐１、３３１‐２で受信した受信信号は、夫々第１及び第２のＡＧＣ部３３２‐１、３３２‐２を介して、第１及び第２の相関値算出部３３３‐１、３３３‐２に入力される。【００２２】
第１及び第２の相関算出部３３３‐１、３３３‐２は、拡散符号を用いて夫々相関値（受信信号）を算出し、その出力が合成部３３４で合成される。受信信号の合成に関しては、例えば、以下の非特許文献３の７．２章に記載されている。合成信号は、図２０（Ａ）と同様に後段の復号処理等により復号される。【００２３】
一方、第２のＡＧＣ部３３２‐２は、制御情報に基づいて、同様にＲＳＳＩを出力する。また、第２のＡＧＣ部３３２‐２から出力された受信信号は第３の相関値検出部３３３‐３にも入力され、図２０（Ａ）と同様に、ＲＳＣＰ＋ＮＯを出力する。【００２４】
保存メモリ３３５には、第２の受信アンテナ３３１‐１で受信した受信信号に対する、ＲＳＣＰ＋ＮＯとＲＳＳＩとが保存される。そして、レベル測定部３３６では、保存メモリ３３５に記憶された各値から、同様に演算を行いＲＳＳＩ、ＣＰＩＣＨ＿ＲＳＣＰ、ＣＰＩＣＨ＿Ｅｃ／ＮＯを上位レイヤに報告する。
【非特許文献１】大野、安達：“DS-CDMAの上りリンク容量と送信電力”、信学論  B-II、Vol.J79-B-II、pp.17-25、1996-01
【非特許文献２】3GPP TS 25.215V7.0.0(2006-03):”Physical layer - Measurement (FDD)”、（ftp://ftp.3gpp.org/Specs/2006-03/Rel-7/25_series/25215-700.zipから、２００６年４月２８日現在入手可能）
【非特許文献３】3GPP TS 25.101V7.3.0(2006-03):”User Equipment (UE) ratio transmission and reception(FDD)”、 （ftp://ftp.3gpp.org/Specs/2006-03/Rel-7/25_series/25101-730.zipから、２００６年４月２８日現在入手可能）
【発明の開示】
【発明が解決しようとする課題】
【００２５】
しかしながら、図２０に示す受信ダイバシチ機能を有する移動機は、受信信号の品質改善のため、合成部３３４により受信信号を合成しているものの、「圏内」、「圏外」判定に使用されるＣＰＩＣＨ＿ＲＳＣＰやＲＳＳＩ等のレベル測定値は、第２の受信アンテナ３３１‐２が接続されたブランチのみで行われている。【００２６】
従って、合成した受信信号は十分な品質にも関わらず、第２の受信アンテナ３３１‐２が接続されたブランチにおけるＣＰＩＣＨ＿ＲＳＣＰやＲＳＳＩの測定結果が低いために、通信可能なエリアにも関わらず「圏外」と判定されてしまうなどの不都合が生じる場合がある。移動機が「圏外」となることにより、一つの基地局において収容される移動機の数は減少することになり、従って、その収容数を適正に増やすことができなくなる。【００２７】
一方、ＲＳＳＩ等の測定結果が低くなることを防止するために、何らかの機能を付加し、逆に測定結果を高くした移動機が現れると、その移動機は本来通信可能エリア外にも拘わらず、通信を行うことができ、その通信により他の移動機に対して不必要な干渉を与え、通信品質を劣化させる問題が生じる。【００２８】
そこで、本発明は、上記問題点に鑑みてなされてもので、その目的は、Ｗ‐ＣＤＭＡシステムにおいて、通信品質を保ちつつ、一つの基地局が収容する移動機の数を適正に増やすことのできる移動機やそのシステムを提供することにある。
【課題を解決するための手段】
【００２９】
上記目的を達成するために、本発明の一実施態様によれば、複数の受信アンテナにより受信ダイバシチ機能を有する移動機において、夫々の前記受信アンテナのレベル測定結果を合成し、合成後のレベル測定値を前記移動機のレベル測定結果として算出する算出部を備えることを特徴とする。【００３０】
また、本発明の他の実施態様によれば、前記移動機において、更に、前記算出部により算出された前記移動機のレベル測定結果に対して、前記受信アンテナの本数が２本のとき、１アンテナブランチに換算したレベル測定値を前記レベル測定結果とする補正部を備えることを特徴とする。【００３１】
更に、本発明の他の実施態様によれば、前記移動機において、前記算出部により算出された前記移動機のレベル測定結果に対して、前記受信アンテナの本数がＮ（Ｎ＞２）のとき、基地局を含むシステムがセル設計をする際に前提となる受信アンテナの数であるＭ（１≦Ｍ≦Ｎ）本のアンテナブランチに換算したレベル測定値を前記移動機のレベル測定結果とする補正部を更に備えることを特徴とする。【００３２】
更に、本発明の他の実施態様によれば、前記移動機において、前記受信アンテナで受信した合成前の信号に対して重み付けを行う乗算部を備え、前記算出部は乗算後の信号に対してレベル測定結果を合成することを特徴とする。【００３３】
更に、本発明の他の実施態様によれば、前記移動機において、前記乗算部は前記各受信アンテナの種類又は前記受信アンテナ間の利得差に応じて異なる重み付けを行うことを特徴とする。【００３４】
更に、本発明の他の実施態様によれば、前記移動機において、前記受信アンテナの受信環境に応じて、前記補正部からの補正された前記レベル測定結果又は前記算出部からの補正されていない前記レベル測定結果のいずれか一つを選択する選択部を更に備えることを特徴とする。【００３５】
更に、本発明の他の実施態様によれば、前記移動機において、前記受信アンテナの受信環境はセル内における干渉の大きさであり、前記選択部は、前記干渉が一定レベルより大きいときは補正後の前記レベル結果を選択し、前記干渉が一定レベル以下のときは補正されていない前記レベル測定結果を選択することを特徴とする。【００３６】
更に、本発明の他の実施態様によれば、前記移動機において、受信信号の種別に応じて、前記受信ダイバシチの機能をオン又はオフにするとともに、前記補正部からの前記レベル測定結果又は前記算出部からの前記レベル測定結果のいずれか一つを選択する制御部を更に備えることを特徴する。【００３７】
更に、本発明の他の実施態様によれば、前記移動機において、受信する周波数帯に応じて、前記受信ダイバシチの機能をオン又はオフにするとともに、前記補正部からの前記レベル測定結果又は前記算出部からの前記レベル測定結果のいずれか一つを選択する制御部を更に備えることを特徴とする。【００３８】
更に、本発明の他の実施態様によれば、前記移動機において、通信のサービス種別に応じて、前記受信ダイバシチの機能をオン又はオフにするとともに、前記補正部からの前記レベル測定結果又は前記算出部からの前記レベル測定結果のいずれか一つを選択する制御部を更に備えることを特徴とする。【００３９】
更に、本発明の他の実施態様によれば、前記移動機において、前記受信ダイバシチ機能のオン又はオフ、前記補正の有無、前記補正を行う場合には補正に使用される補正係数、更に前記受信アンテナの合成前の信号に対して重み付けを行う場合には重み付け係数、を前記レベル測定結果とともに夫々基地局に報告することを特徴とする。【００４０】
更に、本発明の他の実施態様によれば、前記移動機において、前記受信ダイバシチのオン又はオフに応じて、前記移動機の圏内又は圏外判定に使用する閾値を切り替えることを特徴とする。【００４１】
更に、本発明の他の実施態様によれば、前記移動機において、前記受信ダイバシチのオン又はオフに応じて、ハンドオーバの起動判定に使用する閾値を切り替えることを特徴とする。【００４２】
更に、本発明の他の実施態様によれば、前記移動機において、通信するサービス種別による受信ダイバシチ機能のオン又はオフに応じて、前記移動機の目標受信レベルまでの差分を電力制御情報として基地局に要求する電力制御情報生成部を備えることを特徴とする。【００４３】
更に、本発明の他の実施態様によれば、前記移動機において、前記移動機の目標受信レベルまでの差分を電力制御情報として基地局に要求する電力制御情報生成部を備え、前記電力制御情報を要求した後に通信するサービス種別による受信ダイバシチ機能のオン又はオフを行うことを特徴とする。【００４４】
また、上記目的を達成するために、本発明の他の実施態様によれば、複数の受信アンテナにより受信ダイバシチ機能を有する移動機と、前記移動機と通信する基地局とを備えるシステムにおいて、前記移動機は、夫々の前記受信アンテナのレベル測定結果を合成し、合成後のレベル測定値を前記移動機のレベル測定結果として算出する算出部と、前記移動機のレベル測定結果に対して少なくとも１アンテナブランチに換算したレベル測定結果に補正する補正部と、受信する受信周波数帯に応じて前記受信ダイバシチの機能をオン又はオフにするとともに、前記補正部により補正された前記レベル測定結果又は前記算出部からの補正されていない前記レベル測定結果のいずれかを選択する選択制御部と、を備え、前記基地局には、前記移動機に対して受信周波数帯を指定する周波数帯指定部と、指定した前記周波数帯に応じて、ハンドオーバ又は移動機に対する終話の起動判定に使用する閾値を切り替える切り替え部を備えることを特徴する。【００４５】
更に、上記目的を達成するために、本発明の他の実施態様によれば、複数の受信アンテナにより受信ダイバシチ機能を有する移動機と、前記移動機と通信する基地局とを備えるシステムにおいて、前記移動機は、夫々の前記受信アンテナのレベル測定結果を合成し、合成後のレベル測定値を前記移動機のレベル測定結果として算出する算出部と、前記移動機のレベル測定結果に対して少なくとも１アンテナブランチに換算したレベル測定結果に補正する補正部と、受信する受信周波数帯に応じて前記受信ダイバシチの機能をオン又はオフにするとともに、前記補正部により補正された前記レベル測定結果又は前記算出部からの補正されていない前記レベル測定結果のいずれかを選択する選択制御部と、前記受信ダイバシチのオン又はオフ、或いは前記レベル測定結果に対する補正の有無を示す測定モードを前記基地局に報告する移動機側無線制御部とを備え、前記基地局には、前記移動機側無線制御部からの前記測定モードに応じて、ハンドオーバ又は移動機に対する終話の起動判定に使用する閾値を切り替える切り替え部を備えることを特徴する。
【発明の効果】
【００４６】
本発明によれば、Ｗ‐ＣＤＭＡシステムにおいて、通信品質を保ちつつ、一つの基地局が収容する移動機の数を適正に増やすことのできる移動機や、そのシステムを提供することができる。
【図面の簡単な説明】
【００４７】
【図１】図１は、移動機の構成例を示す図である。
【図２】図２は、移動機の他の構成例を示す図である。
【図３】図３は、アンテナの利得差と合成信号との関係を示す図である。
【図４】図４は、移動機の他の構成例を示す図である。
【図５】図５は、移動機の他の構成例を示す図である。
【図６】図６は、移動機の他の構成例を示す図である。
【図７】図７（Ａ）及び図７（Ｂ）は、実施例５の効果を説明するための図である。
【図８】図８は、移動機の他の構成例を示す図である。
【図９】図９は、移動機の他の構成例を示す図である。
【図１０】図１０は、実施例７の効果を説明するための図である。
【図１１】移動機の他の構成例を示す図である。
【図１２】移動機の他の構成例を示す図である。
【図１３】移動機の他の構成例を示す図である。
【図１４】図１４（Ａ）は選択すべき閾値の例、図１４（Ｂ）は第１及び第２の閾値の概念を説明するための図である。
【図１５】図１５は、システム全体の構成例を示す図である。
【図１６】図１６は、システム全体の他の構成例を示す図である。
【図１７】図１７は、移動機の他の構成例を示す図である。
【図１８】図１８は、移動機の他の構成例を示す図である。
【図１９】図１９は、切り替えタイミングを説明するための図である。
【図２０】図２０（Ａ）、及び図２０（Ｂ）は、従来の移動機の構成例を示す図である。
【符号の説明】
【００４８】
１０：移動機                        １１‐１〜１１‐ｎ：受信アンテナ 
１２‐１〜１２‐ｎ：ＡＧＣ部        １３‐１〜１３‐ｎ：相関値算出部
１４：第１の合成部                  １５：第２の合成部
１６：保存メモリ                    １８：レベル測定部
１９、２０：補正処理部              ２１‐１〜２１‐ｎ：Ｇａｉｎ記憶部
２２‐１１〜２２‐ｎ２：乗算部      ２３：干渉レベル推定部
２４：スイッチ（ＳＷ：第１のＳＷ）  ２５：受信信号種別判定部
２６：ダイバシチＯｎ／Ｏｆｆ制御部  ２７：受信周波数帯判定部
２８：サービス種別判定部            ３１：第１の記憶部
３２：第２の記憶部                  ３３：第２のＳＷ
３４：圏外判定部                    ４０：移動機無線制御部（移動機内上位レイヤ）
５１：第３の記憶部                  ５２：第４の記憶部
５３、２２５：レベル判定部          ５４：電力制御ビット生成部
１００、２００：基地局              ２２０：網側無線制御部
２２１：周波数帯指定部
【発明を実施するための最良の形態】
【００４９】
本発明を実施するための最良の形態について以下説明する。
【実施例１】
【００５０】
図１は、本実施例１における移動機１０の構成例を示す図である。【００５１】
移動機１０は、第１及び第２の受信アンテナ１１‐１、１１‐２と、第１及び第２のＡＧＣ部１２‐１、１２‐２と、第１及び第２の相関値算出部１３‐１、１３‐２と、第１及び第２の合成部１４、１５と、保存メモリ１６と、レベル測定部１８とを備える。図１に示す移動機１０は、２つの受信アンテナ１１‐１、１１‐２により受信ダイバシチ機能を備える。【００５２】
第１及び第２の受信アンテナ１１‐１、１１‐２で受信した受信信号は、第１及び第２のＡＧＣ部１２‐１、１２‐２に夫々入力される。第１及び第２のＡＧＣ部１２‐１、１２‐２は、受信した信号を増幅し、増幅された受信信号を夫々第１及び第２の相関値算出部１３‐１、１３‐２に出力する。【００５３】
第１及び第２の相関値算出部１３‐１、１３‐２は、レベル測定を行うコードチャネルに割り当てられた拡散符号を使用して、相関値であるＣＰＩＣＨ＿ＲＳＣＰ＋ＮＯを夫々演算する。演算後の値は、第１の合成部１４で合成されて保存メモリ１６に記憶される。【００５４】
一方、第１及び第２のＡＧＣ部１２‐１、１２‐２は、内部においてフィードバック制御に利用される制御電圧がＲＳＳＩに比例することを利用して、夫々第１及び第２のＲＳＳＩを演算する。第１及び第２のＲＳＳＩは、第２の合成部１５で合成されて、保存メモリ１６に記憶される。【００５５】
保存メモリ１６には、合成されたＣＰＩＣＨ＿ＲＳＣＰ＋ＮＯと、ＲＳＳＩとが記憶される。レベル測定部１８は、保存メモリ１６からこれらの値を読み出し、ＣＰＩＣＨ＿ＲＳＣＰ＋ＮＯから雑音電力ＮＯを減算してＣＰＩＣＨ＿ＲＳＣＰを演算し、演算したＣＰＩＣＨ＿ＲＳＣＰをＲＳＳＩで除算（或いは減算）してＣＰＩＣＨ＿Ｅｃ／ＮＯを演算する。【００５６】
そして、レベル測定部１８は、演算により求めたＣＰＩＣＨ＿ＲＳＣＰとＣＰＩＣＨ＿Ｅｃ／ＮＯと、保存メモリ１６から読み出したＲＳＳＩとをレベル測定結果として、上位レイヤ（例えば、移動機１０側の無線制御部など）に出力（報告）する。例えば、レベル測定部１８は、これらの値を周期的に演算して、上位レイヤに出力する。【００５７】
このように、本実施例１では、レベル測定結果として、各ブランチにおける３種類の信号レベル（ＲＳＳＩ、ＣＰＩＣＨ＿ＲＳＣＰ、ＣＰＩＣＨ＿Ｅｃ／ＮＯ）を合成（加算）したものを用いている。従って、測定結果は、単一のアンテナによる３種類の信号レベルより、合成した分だけその値は大きくなり、その値を基地局にレベル報告として報告すれば、レベル報告の値が大きいため、本移動機１０の「圏内」となる時間が長くなる。よって、受信ダイバシチ機能のある移動機１０は、受信信号に対応した適正な受信レベル報告を行うことができ、受信信号の通信品質に対応した領域で「圏外」と判定されることがなく、その品質を保つことができる。【００５８】
また、不当に「圏外」と判定されることがないため、一つの基地局に収容される移動機の数を減少させることなく、適正に移動機の数を増やすことができる。
【実施例２】
【００５９】
次に実施例２について説明する。図２は、本実施例２における移動機１０の構成例である。本実施例２は、第１及び第１の受信アンテナ１１‐１、１１‐２からレベル測定部１８までは実施例１の構成と同一である。【００６０】
図２に示す移動機１０は、図１に示す移動機１０に対して、レベル測定部１８から出力される、３種類のレベル測定結果（ＲＳＳＩ、ＣＰＩＣＨ＿ＲＳＣＰ、ＣＰＩＣＨ＿Ｅｃ／ＮＯ）に対して、２つの受信アンテナ１１‐１、１１‐２の利得差を考慮した上で、「１」アンテナブランチに換算したレベル測定結果を報告するための補正処理部１９が付加されている。【００６１】
２本の受信アンテナ１１‐１、１１‐２により受信ダイバシチ機能のある移動機１０では、レベル報告の際に、合成したレベル測定結果を基地局に報告すると、「２本アンテナ」としてレベル報告を行うことになる。このとき、移動機１０は通信品質が確保されるものの、同一受信エリア内にある他の移動機に対して、通信電波の干渉が発生する場合がある。【００６２】
そこで、本実施例２では、受信ダイバシチ機能のある移動機１０は、合成したレベル測定値に対して補正を加えることで、仮想的な「１」アンテナブランチの値に換算して、レベル報告を行う。これにより、他の移動機に対して干渉の発生を防止し、通信品質を保つことができる。【００６３】
しかし、「１」アンテナブランチの値に換算するときに、各レベル測定結果の値を半分にした値を報告すると、低いレベル報告のため、受信ダイバシチ機能を有する移動機１０が、通信可能エリアにいるにも拘わらず「圏外」と判定されてしまう可能性もある。従って、受信アンテナ１１‐１、１１‐２間の利得差を考慮した上で、「１」アンテナブランチとして換算して報告する必要がある。【００６４】
図２では、第１及び第２の受信アンテナ１１‐１、１１‐２間には、「３ｄＢ」の利得差がある場合の例を示す。図３は、アンテナの利得差と合成信号との関係を示す計算結果である。「３ｄＢ」の利得差がある場合、図３に示すように、合成信号は、元の信号の１．５倍（１．８ｄＢ相当）の信号レベルとなる。【００６５】
従って、補正処理部１９では、第１の補正部１９‐１により、合成されたＲＳＳＩに対して、「１．８ｄＢ」の減算処理（真数の場合には、「２／３」を乗算する処理。以下同様）を行う。また、ＣＰＩＣＨ＿ＲＳＣＰに対しても、第２の補正部１９‐２により、「１．８ｄＢ」の減算処理を行う。【００６６】
尚、ＣＰＩＣＨ＿Ｅｃ／ＮＯの値は、ＣＰＩＣＨ＿ＲＳＣＰとＲＳＳＩとから求まる（除算又は減算）値である。ＣＰＩＣＨ＿ＲＳＣＰ等は「１．８ｄＢ」の減算を行っているため、ＣＰＩＣＨ＿Ｅｃ／ＮＯの値は、結果として補正処理が不要（第３の補正部１９‐３による「０ｄＢ」の加算）となる。【００６７】
例えば、対数で処理する場合、下式の減算によりＣＰＩＣＨ＿Ｅｃ／ＮＯを求めることになるので、
ＣＰＩＣＨ＿Ｅｃ／ＮＯ＝ＣＰＩＣＨ＿ＲＳＣＰ−ＲＳＳＩ      
である。ＣＰＩＣＨ＿ＲＳＣＰ、ＲＳＳＩは補正の際に「１．８ｄＢ」の減算が行われるため、上記の式は、
ＣＰＩＣＨ＿Ｅｃ／ＮＯ＝（ＣＰＩＣＨ＿ＲＳＣＰ−１．８ｄＢ）−（ＲＳＳＩ−１．８ｄＢ）
となり、結果的にＣＰＩＣＨ＿Ｅｃ／ＮＯについては補正処理が不要となる。【００６８】
この補正後の３種類のレベル測定結果を上位レイヤに報告することで、受信アンテナ１１‐１、１１‐２の利得差を考慮した上で、「１」アンテナブランチの値に換算したレベル報告が可能となり、低いレベル報告により「圏外」判定とされることもなく、実施例１と同様に、適正に一つの基地局内に収容する移動機の数を増やすことができる。また、受信ダイバシチ機能のある移動機１０でも、「１」アンテナブランチの値に換算して報告しているため、他の移動機に対して干渉の発生を防止することができ、通信品質を保つことができる。【００６９】
尚、第３の補正部１９‐３による補正処理は、「０ｄＢ」以外の値を加算してもよいし、或いは、第３の補正部１９‐３を削除して、レベル測定部１８から出力されるＣＰＩＣＨ＿Ｅｃ／ＮＯに補正処理を行わずにそのまま出力するようにしてもよい。この場合でも前述の例と同様の作用効果を奏する。
【実施例３】
【００７０】
次に実施例３について説明する。図４は、本実施例３における移動機１０の構成例を示す図である。【００７１】
実施例２（図２）では、２本の受信アンテナ１１‐１、１１‐２を使用した受信ダイバシチ機能のある移動機１０において「１」アンテナブランチに換算して報告した。本実施例３では、Ｎ本の受信アンテナを使用した受信ダイバシチ機能のある移動機１０において、仮想的に「Ｍ」（１≦Ｍ≦Ｎ）アンテナブランチ分の値に換算して報告する例である。【００７２】
Ｎ本の受信アンテナ１１‐１〜１１‐ｎで受信した受信信号は、夫々第１乃至第ｎのＡＧＣ部１２‐１〜１２‐ｎで増幅される。そして、第１乃至第ｎの相関値算出部１３‐１〜１３‐ｎで各々ＲＳＣＰ＋ＮＯが算出され、第１の合成部１４で合成される。【００７３】
また、第１乃至第ｎのＡＧＣ部１２‐１〜１２‐ｎは、各々ＲＳＳＩを出力し、第２の合成部１５で各ＲＳＳＩが合成される。【００７４】
実施例１等と同様に、保存メモリ１６には、合成されたＲＳＳＩと、ＲＳＣＰ＋ＮＯが記憶され、レベル測定部１８は、３種類のレベル測定結果（ＲＳＳＩ、ＣＰＩＣＨ＿ＲＳＣＰ、ＣＰＩＣＨ＿Ｅｃ／ＮＯ）を出力する。【００７５】
また、レベル測定部１８からの出力に対して、実施例２と同様に、補正処理部２０を備えるが、仮想的なＭ本アンテナブランチへの換算として、「１０×ｌｏｇ１０（Ｍ／Ｎ）ｄＢ」を加える処理が行われる。すなわち、レベル測定部１８から出力されたＲＳＳＩと、ＣＰＩＣＨ＿ＲＳＣＰに対して、夫々第３及び第４の補正部２０‐１、２０‐２により、「１０×ｌｏｇ１０（Ｍ／Ｎ）ｄＢ」が加算される。【００７６】
尚、ＣＰＩＣＨ＿Ｅｃ／ＮＯに関しては、実施例２と同様の理由により、補正処理を行わずにそのまま上位レイヤに報告している。勿論、「０ｄＢ」を加算する処理を行ってもよい。【００７７】
本実施例３でも、加算すべき「１０×ｌｏｇ１０（Ｍ／Ｎ）ｄＢ」は、実施例２と同様に、Ｎ本の受信アンテナ１１‐１〜１１‐ｎ間に利得差がある場合、それらの利得を考慮した値となっているため、不当に「圏外」判定となることがなく、一つの基地局に収容される移動機数を適正に増やすことができる。また、実施例２と同様に、仮想的にＭアンテナブランチ分の値に換算してレベル報告を行っているため、他の移動機に対する干渉を防止することができ、通信品質を保つことができる。【００７８】
尚、この「Ｍ」は、システムのセル設計をする際に前提とするアンテナの数である。例えば、システムに収容される移動機が２本アンテナを持つことを前提としているときには、２本アンテナに換算して報告する。「Ｍ」は報告の前提となる受信アンテナの数とも言える。前述の実施例２では、「１本アンテナ」を持つことを前提としたセル設計の例と考えることができる。
【実施例４】
【００７９】
次に実施例４について説明する。図５は、実施例４が適用される移動機１０の構成例を示す。前述の図４に対して、更に、第１乃至第ｎのＡＧＣ部１２‐１〜１２‐ｎの出力に対して、重み付け係数（Ｇａｉｎ１〜Ｇａｉｎｎ）を記憶する各Ｇａｉｎ記憶部２１‐１〜２１‐ｎと、重み付け係数を乗算する各乗算部２２‐１１〜２２‐ｎ２とを備える。【００８０】
Ｎ本の受信アンテナ１１‐１〜１１‐ｎを使用した受信ダイバシチ機能のある移動機１０において、各ＡＧＣ部１２‐１〜１２‐ｎから出力されるＲＳＳＩと増幅された受信信号とに対して夫々重み付け係数を乗算する。乗算後、各ＲＳＳＩは第１の合成部１４で合成され、増幅後の受信信号は各相関値算出部１３‐１〜１３‐ｎに入力される。その後の処理は、実施例３と同様である。【００８１】
この重み付け係数は、各受信アンテナ１１‐１〜１１‐ｎの利得の逆数としている。従って、本実施例４では、受信アンテナ１１‐１〜１１‐ｎ間の利得差を補正した上でレベル測定結果（ＲＳＳＩ、ＣＰＩＣＨ＿ＲＳＣＰ、ＣＰＩＣＨ＿Ｅｃ／ＮＯ）を求めることができる、という効果を奏する。【００８２】
尚、このような利得差は、例えば、外付けのホイップアンテナと基板に内蔵されたアンテナとの間で発生することが考えられる。実施例２等においても同様である。【００８３】
本実施例４においても、実施例３と同様に、レベル測定部１８から出力されたレベル測定結果に対して、補正処理部２０による補正処理を行っているため、Ｍアンテナブランチ分の値に換算してレベル報告を行うことができ、通信品質を保ちつつ適正に一基地局に収容できる移動機の数を増やすことができる。
【実施例５】
【００８４】
次に実施例５について説明する。実施例５は、上述した実施例２等における補正処理の有無を受信アンテナの受信環境に応じて選択的に行うようにした例である。【００８５】
図６は、本実施例５における移動機１０の構成例である。第１及び第２の受信アンテナ１１‐１、１１‐２から補正処理部１９までは、実施例２（図２）における移動機１０と同一の構成である。本実施例５の移動機１０は、更に、干渉レベル推定部２３と、スイッチ（ＳＷ）２４とが付加されている。【００８６】
干渉レベル推定部２３は、レベル測定部１８からＥｃ／ＮＯが入力され、一基地局のセル内における干渉の比率を推測し、干渉が一定レベルより多いときは、ＳＷ２４に対して補正処理の結果が出力されるように切り替えるための論理信号を出力する。一方、干渉レベル推定部２３は、干渉が一定レベル以下のときは、補正処理の結果が出力されないようにするための論理信号を出力する。【００８７】
ＳＷ２４は、干渉レベル推定部２３からの論理信号に基づいて、スイッチの切り替えを行い、補正処理結果又は補正処理を行わないレベル測定結果を出力する。【００８８】
図７（Ａ）及び図７（Ｂ）は、本実施例５の効果を説明するための図である。図７（Ａ）に示すように、基地局１００を中心に円状に通信可能エリアが存在する。そして、この例では、通信可能エリアに３台の移動機１０、１１０、１２０が収容される。【００８９】
図７（Ａ）の例では、セル内の移動機の数が少ないため、雑音レベルが小さく、従って、移動機１０におけるＥｃ／ＮＯの値は、大きな値を取り得る。このような場合、移動機１０は、３種類のレベル測定結果（ＲＳＳＩ、ＣＰＩＣＨ＿ＲＳＣＰ、ＣＰＩＣＨ＿Ｅｃ／ＮＯ）を補正せずにレベル報告を行う（ＳＷ２４からは補正処理を行わない方を選択して出力する）。【００９０】
この例では、セル内の移動機の数が少ないため、移動機１０が、補正を行わない高いレベル報告を行い、その結果、通信品質が保持できる通信可能エリアの境界まで通信を行っても、移動機１１０、１２０が被る干渉の総量が少なく、セル内に収容できる（通信できる）移動機の数が減少することはない。【００９１】
一方、図７（Ｂ）のように、セル内における移動機１０、１１０、・・・の数が増えた場合、移動機１０は、他の移動機１１０等からの干渉により雑音電力が大きくなるため、Ｅｃ／ＮＯの値は小さくなる。このような場合は、レベル測定結果に対して補正処理を行う（ＳＷ２４は補正処理の結果を出力する）ことで、「１」アンテナブランチの値に換算して報告する。移動機１０は、他の移動機１１０等に対して大きな干渉を与える可能性のある境界付近での通信を行うことがなくなるため、セル内での通信可能な移動機１１０、１２０、・・・の数を適正に保つことができる。【００９２】
本実施例５では、Ｅｃ／ＮＯから干渉の比率を推定して、その大小により、補正処理を選択的に行うようにしたので、通信品質を保ちつつ（図７（Ａ）参照）、セル内の移動機１０、１１０、・・・を適正に増やす（図７（Ｂ）参照）、という効果を奏する。  【００９３】
尚、干渉レベル推定部２３は、このようなセル内の環境に応じて閾値を設定して、干渉レベル推定部２３内のメモリに記憶し、この閾値とＥｃ／ＮＯとの比較により干渉レベルの大小を判断させればよい。【００９４】
本実施例５では、２本の受信アンテナ１１‐１、１１-２による受信ダイバシチ機能の例を示したが、実施例３のように、更にｎ本の受信アンテナ１１‐１〜１１‐ｎによる場合でも全く同様に実施可能で、同様の作用効果を奏する。【００９５】
更に、実施例４のように、各受信アンテナ１１‐１〜１１‐ｎに対して重み付けを行っても、同様に実施可能で同様の作用効果を奏する。
【実施例６】
【００９６】
次に実施例６について説明する。本実施例６では、受信ダイバシチの有無を受信信号の種別に応じて選択的に切り替えるとともに、補正処理の有無もそれに応じて切り替えるようにした例である。【００９７】
図８は、本実施例６における移動機１０の構成例である。実施例５の移動機１０（図６）と比較して、干渉レベル推定部２３がなく、受信信号種別判定部２５とダイバシチＯｎ／Ｏｆｆ制御部２６とを付加した構成となっている。【００９８】
受信信号種別判定部２５は、上位レイヤから指示を受ける。この指示には、移動機１０が「待ち受け中」か「通話中」かの種別を示す情報が含まれる。受信信号種別判定部２５は、この指示から「待ち受け中」か「通話中」かの論理信号を出力する。【００９９】
ダイバシチＯｎ／Ｏｆｆ制御部２６は、「待ち受け中」を示す論理信号が入力されたときは、第２の受信アンテナ１１‐２に接続されたアンテナブランチの電源をオフにして、ダイバシチ機能をオフにする。【０１００】
一方、ダイバシチＯｎ／Ｏｆｆ制御部２６は、「通話中」を示す論理信号が入力されたときは、第２の受信アンテナ１１‐２に接続されたアンテナブランチの電源をオンにして、ダイバシチ機能をオンにする。【０１０１】
また、ＳＷ２４は、「待ち受け中」の論理信号のとき、補正を行わないレベル測定結果（ＲＳＳＩ、ＣＰＩＣＨ＿ＲＳＣＰ、ＣＰＩＣＨ＿Ｅｃ／ＮＯ）を出力する。一方、「通話中」の論理信号のとき、補正を行ったレベル測定結果を出力する。【０１０２】
移動機１０が「待ち受け中」の場合、受信ダイバシチ機能はオフとなっているため、第１の受信アンテナ１１‐１のみで受信が行われ、補正処理を行わなくても、「１」アンテナブランチ分のレベル測定結果が報告される。従って、移動機１０が待ち受け通信を行える領域で、本来の通信品質を保つことができる。更に、受信ダイバシチ機能をオフにするため、移動機１０の消費電力は少ない。【０１０３】
一方、移動機１０が「通話中」の場合（通話開始後）、受信ダイバシチ機能はオンとなって、補正処理後のレベル測定結果、即ち、「１」アンテナブランチに換算されたレベル測定結果が報告される。受信ダイバシチ機能がオンとなっているため、移動機１０が通信可能エリアの境界に位置しても通信品質を保つことができる。また、補正処理後のレベル結果を報告しているため、実施例２と同様に、通信品質を保ちつつ移動機の数を適正に増やすことができる。【０１０４】
従って、高品質の通信が必要な場合（「通話中」の場合）のみ受信ダイバシチが適用され、それ以外の場合（「待ち受け中」の場合）受信ダイバシチがオフとなり不要な電源の消耗を防ぐことができる。その際のレベル測定結果は、受信ダイバシチ機能のオン、オフに拘わらず、適正な値が報告されるため、通信品質を保ちつつ、適正に移動機の数を増やすことができる。【０１０５】
尚、本実施例６においても、実施例３と同様にｎ本の受信アンテナ１１‐１〜１１‐ｎによりアンテナを構成するようにしてもよいし、実施例４と同様に利得差を考慮して重み付けを行うようにしてもよい。いずれの場合も、本実施例６と同様の作用効果を奏する。
【実施例７】
【０１０６】
次に実施例７について説明する。本実施例７は、受信ダイバシチ機能の有無を受信信号の周波数帯に応じて選択的に切り替えるとともに、補正処理の有無もそれに応じて切り替えるようにした例である。【０１０７】
一般に、移動機の移動速度が同じでも、受信周波数帯が高い方がその波長は短いため、その電波の切り替わる速度変化が速くなり、フェーディング周波数が高くなる。よって、受信周波数帯が高いときに、受信ダイバシチ機能をオンにすることでその改善効果を高くすることができる。一方、受信周波数帯が低いとき、受信ダイバシチ機能をオフにすることで、移動機の消費電力を抑えることができる。【０１０８】
図９は、これを実現した本実施例７における移動機１０の構成例である。実施例６（図８）の移動機１０に対して受信信号種別判定部２５を受信周波数帯判定部２７に代え、それ以外の構成は実施例６と同様である。【０１０９】
受信周波数帯判定部２７は、上位レイヤからの指示として、受信信号の受信周波数帯を示す情報が入力され、受信周波数帯の高低を判定する。受信周波数帯判定部２７は、判定に応じた論理信号を出力する。【０１１０】
ダイバシチＯｎ／Ｏｆｆ制御部２６は、受信周波数帯が高いことを示す論理信号が入力されたときは、第２の受信アンテナ１１‐２に接続されたアンテナブランチの電源をオンにし、受信ダイバシチ機能をオンにする。【０１１１】
一方、ダイバシチＯｎ／Ｏｆｆ制御部２６は、受信周波数帯が低いことを示す論理信号が入力されたときは、第２の受信アンテナ１１‐２に接続されたアンテナブランチの電源をオフにして、受信ダイバシチ機能をオフにする。【０１１２】
また、ＳＷ２４は、受信周波数帯が高いことを示す論理信号が入力されたとき、補正処理を行ったレベル測定結果（ＲＳＳＩ、ＣＰＩＣＨ＿ＲＳＣＰ、ＣＰＩＣＨ＿Ｅｃ／ＮＯ）を出力する。【０１１３】
一方、受信周波数帯が低いことを示す論理信号のときは、補正を行わないレベル測定結果を出力する。受信周波数帯が低いときには、受信ダイバシチ機能がオフになっているため、レベル測定結果は「１」アンテナブランチ分の結果となる。【０１１４】
図１０は、本実施例７の効果を説明するための図である。移動機１０は高い受信周波数を使って移動しながら通信する際には、受信ダイバシチを適用しないと通信不可能（同図の実線の外側）となり、低い周波数を使って移動しながら通信する際には、受信ダイバシチを適用しなくても通話が可能となるエリア（同図の点線の内側）に位置している。移動機１０の受信周波数帯が高いとき、受信ダイバシチ機能をオンにしているため、同図の実線を超えても通信品質を保ったまま通信することができる。このとき、移動機１０は基地局１００に対し、補正したレベル測定結果をレベル報告値として報告しているため（「１」アンテナブランチに換算したレベル測定結果を報告しているため）、低い周波数を使って通信する際の境界（同図の点線）を超えて通信することはなく、その場合に生ずる恐れのある他の移動機１１０、１２０に対して干渉の発生を少なくすることができ、実施例２と同様に、通信品質を保ちつつ移動機の数を適正に増やすことができる。【０１１５】
一方で、受信周波数帯が低いとき、受信ダイバシチ機能はオフとなっているため、第１の受信アンテナ１１‐１のみで受信が行われ、補正処理を行わなくても、「１」アンテナブランチ分のレベル測定結果が報告される。このため、低い周波数を使って通信する際の境界（同図の点線）を超えて通信することはなく、その場合に生ずる恐れのある同一セル内の他の移動機に対する干渉は少なくなり、これらの移動機の通信品質を所定のレベルに保つことができる。更に、受信ダイバシチ機能をオフにするため、移動機１０の消費電力は少ない。【０１１６】
従って、実施例６と同様に、高品質の通信が必要な場合（受信周波数帯が高い場合）のみ受信ダイバシチが適用され、それ以外の場合（受信周波数帯が低い場合）受信ダイバシチがオフになり不要な電源の消耗を防ぐことができる。その際のレベル測定結果は、受信ダイバシチ機能のオン、オフに拘わらず、適正な値が報告されるため、通信品質を保ちつつ、適正に移動機の数を増やすことができる。【０１１７】
図１１は、本実施例７の他の移動機１０の構成例である。周波数帯判定部２７に代え、サービス種別判定部２８が設けられている。【０１１８】
サービス種別判定部２８は、上位レイヤからの指示により、通信サービス（画像による通信サービス又は音声による通信サービス）の種別を判別し、その種別に応じた論理信号を出力する。【０１１９】
通信サービスが「音声通信」サービスのとき、ダイバシチＯｎ／Ｏｆｆ制御部２６はダイバシチ機能をオフにし、ＳＷ２４は補正処理を行わないレベル測定結果を上位レイヤに報告する。一方、通信サービスが「画像通信」サービスのとき、ダイバシチＯｎ／Ｏｆｆ制御部２６はダイバシチ機能をオンにし、ＳＷ２４は補正処理を行ったレベル測定結果を上位レイヤに報告する。【０１２０】
画像通信の方が、音声通信よりも、高い通信品質が要求される。従って、画像通信のときは受信ダイバシチ機能をオンにして通信品質を確保する一方、音声通信のとき受信ダイバシチ機能をオフにして消費電力の消耗を抑えることができる。【０１２１】
その際のレベル測定結果は、前述の例と同様に、受信ダイバシチ機能のオン、オフに拘わらす、適正な値が報告されるため、システム全体の通信品質と収容数を適正に保つことができる。【０１２２】
尚、上位レイヤからの指示は、例えば、ユーザからの指示としてもよい。例えば、ユーザが「今から画像を通信する」旨の指示や「音声で通信を行う」旨の指示を受けて処理が行われも、全く同様に実施可能で同様の作用効果を奏する。  【０１２３】
本実施例７のいずれの例においても、実施例３と同様にｎ本の受信アンテナ１１‐１〜１１‐ｎによりアンテナを構成するようにしてもよいし、実施例４と同様に利得差を考慮して重み付けを行うようにしてもよい。いずれの場合も、本実施例７と同様の作用効果を奏する。
【実施例８】
【０１２４】
次に実施例８について説明する。本実施例８では、実施例２等による補正処理の有無、実施例６等によるダイバシチ機能のオン又はオフ、補正を行う場合に重み付け係数（実施例４におけるＧａｉｎ１など）及び補正係数（実施例２及び３における「１．８ｄＢ」など）を、明示的に上位レイヤに報告する例である。【０１２５】
図１２は、本実施例８における移動機１０の構成例を示す図である。全体の構成は、実施例７（図１１）と略同様である。サービス種別判定部２８は、サービス種別に応じて、その論理信号をダイバシチＯｎ／Ｏｆｆ制御部２６等に出力するが、受信ダイバシチを行うサービス種別や補正処理結果を報告するサービス種別は予め把握できるものである。【０１２６】
従って、サービス種別判定部２８は、上位レイヤからの指示によりサービス種別を判別して、受信ダイバシチのオン又はオフ、補正処理の有無を報告することができる。更に、補正する場合にはその補正係数も予めメモリ等に記憶させておけばその値も上位レイヤに報告することが可能である。【０１２７】
本実施例８でも、実施例７と同様の作用効果を奏することができ、更に、レベル測定結果の補正の有無やダイバシチ機能のオン又はオフ、補正係数を明示的に上位レイヤ（更に、基地局）に報告することができるため、システム全体の通信品質をより一層保つことができ、更に収容数もより一層適正に増やすことができる。【０１２８】
尚、図１２に示す例においても、実施例４（図５）と同様にｎ本の受信アンテナ１１‐１〜１１‐ｎを設けて、重み付け係数を乗算することもでき、その係数をメモリ等に記憶して、サービス種別判定部２８から上位レイヤに報告することもできる。補正の有無等を含め、重み付け係数も上位レイヤに報告することで、同様に一層の通信品質の確保と収容数の適正な増加に貢献できる。【０１２９】
また、図１２に示す例では、サービス種別判定部２８により移動機１０を構成したが、サービス種別判定部２８に代え、受信信号種別判定部２５や受信周波数帯判定部２７により移動機１０を構成しても、全く同様に実施可能で同様の作用効果を奏する。
【実施例９】
【０１３０】
次に実施例９について説明する。本実施例９は、受信ダイバシチ機能のオン、オフ等の選択により、移動機の「圏内」又は「圏外」の判定を行う条件を切り替えるようにした例である。【０１３１】
図１３は、本実施例９における移動機１０の構成例である。実施例７（図９）の移動機１０に対して、更に、第１の閾値を記憶する第１の記憶部３１と、第２の閾値を記憶する第２の記憶部３２と、第２のＳＷ３３、及び圏外判定部３４とを備える。尚、第２のＳＷ３３を付加したため、ＳＷ２４を第１のＳＷ２４としている。【０１３２】
周波数帯判定部２７が、受信周波数は高いと判定したとき、ダイバシチＯｎ／Ｏｆｆ制御部２６は、第２の受信アンテナ１１‐２に接続されたアンテナブランチの電源をオンにして、受信ダイバシチをオンにする。このとき、第１のＳＷ２４は補正処理部１９から出力されるレベル測定結果を出力する。【０１３３】
このとき、移動機１０のレベル報告は、補正したレベル結果を報告しているため、実際よりも低い値を報告している。このように低い値を報告しても、移動機１０が「圏内」に位置するようにするため、２つの閾値のうち低い方の閾値が選択されるよう（ここで、第１の閾値＜第２の閾値、とすると第１の閾値が選択されるよう）に第２のＳＷ３３は切り替える。そして、この選択された第１の閾値を用いて、圏外判定部３４は圏外判定を行う。【０１３４】
一方、周波数帯判定部２７が、受信周波数帯は低いと判定したとき、受信ダイバシチはオフとなり、補正しないレベル測定結果が出力される。このとき、報告されるレベル測定結果は、受信ダイバシチがオフとなった本来のレベル測定結果が報告されるため、第２のＳＷ３３は本来の閾値（第２の閾値）を選択し、圏外判定部３４により圏外判定が行われる。【０１３５】
図１４（Ａ）は、選択すべき閾値の例を示す図である。受信ダイバシチがオンのとき（受信周波数帯が高いとき）、第１のＳＷ２４は補正ありの出力を選択し、第２のＳＷ３３は第１の閾値を選択する。一方、受信ダイバシチがオフのとき（受信周波数帯が低いとき）、第１のＳＷ２４は補正なしの出力を選択し、第２のＳＷ３３は第２の閾値を選択する。【０１３６】
図１４（Ｂ）は、この第１の閾値と第２の閾値の概念を示す図である。移動機１０が受信ダイバシチをオンにして位置Ａに位置するとき、受信ダイバシチのオンにより十分受信電波を基地局１００に送受信することができる。従って、この場合、「圏内」と判定されるようにするため、第１の閾値が選択される。移動機１０は、補正後のレベル測定結果を報告しているため、他の移動機１１０、１２０に対して干渉は少ない。【０１３７】
しかし、受信ダイバシチをオンにしたまま、移動機１０が位置Ｂに移動したとき、送受信電波が多くなり、他の移動機１１０、１２０に対して干渉が大きくなる。従って、このときは「圏外」と判定されるようにしておくべきである。【０１３８】
第１の閾値は、受信ダイバシチをオンにしたときに、他の移動機１０に対して干渉を与えない（他の移動機１１０、１２０への干渉が許容できる）通信エリアの境界を示すものといえる。【０１３９】
一方、第２の閾値は、本来の通信可能エリアの境界を示すものである。移動機１０が受信ダイバシチをオフにしたとき、実線で示す領域内であれば「圏内」と判定され、位置Ａに移動すると「圏外」と判定される。【０１４０】
このように、周波数帯（つまり、受信ダイバシチの有無）に応じて、「圏外」と判定される受信信号のレベルの基準を制御するようにしたため、適正に「圏内」又は「圏外」判定を行うことができる。勿論、それ以外の構成は、実施例７と同様の構成のため、実施例７と同様に、通信品質を保ちつつ、収容数を適正に増やすことができる。【０１４１】
本実施例９では、「圏内」又は「圏外」判定を行うための条件である閾値を受信ダイバシチのオン、オフにより切り替えるようにしたが、例えば、ハンドオーバ（通信対象の基地局の切り替え動作）を起動するための条件を受信ダイバシチのオン、オフにより切り替えるようにしてもよい。例えば、前述の「圏外」の判定を「ハンドオーバの切り替え」の判定に置き換えれば同様に実施可能である。この場合は、適正にハンドオーバの切り替えを行うことができる。【０１４２】
また、ハンドオーバを起動する要件が発生したことを報告する条件（移動機１０が、通信可能エリアの境界に近づいたことを報告する条件）である閾値を受信ダイバシチのオン、オフにより切り替えるようにしてもよい。更に、ハンドオーバの起動を要求する条件（移動機１０自らハンドオーバによる切り替えを求める条件）を切り替えるようにしてもよい。第１及び第２の閾値はこれらの条件に応じて適切な値を各記憶部３１、３２に記憶させれば全く同様に実施可能で同様の作用効果を奏する。【０１４３】
更に、移動機１０の構成は、周波数帯判定部２７に代え、受信信号種別判定部２５（図８）やサービス種別判定部２８（図１１）としてもよい。この場合でも本実施例９と全く同様に実施可能で同様の作用効果を奏する。【０１４４】
更に、実施例３や実施例４のように、ｎ本の受信アンテナ１１‐１〜１１‐ｎにより移動機１０を構成してもよいし、その出力に重み付けを行うようにしても、同様に実施可能である。
【実施例１０】
【０１４５】
次に実施例１０について説明する。本実施例１０は、実施例９における「圏外」又は「圏内」判定を基地局側で行う例である。但し、実際に行われる判定は、「ハンドオーバの切り替え」や「終話条件（レベル低下に伴う通信の強制切断）」の判定である。【０１４６】
図１５は、本実施例１０におけるシステム全体の構成例である。移動機１０側は図９（実施例７）の構成に対して、更に、基地局に対して情報の送受信を行うための移動機無線制御部（移動機内上位レイヤ）４０を備える。【０１４７】
また、基地局（無線制御局又は無線基地局、以下、「基地局」）２００には、信号送信部２１０と、送信アンテナ２１１と、網側無線制御部２２０（網側上位レイヤ）とを備える。【０１４８】
網側無線制御部２２０は、移動機１０に対する周波数帯を指定する周波数帯指定部２２１と、第１及び第２の閾値を記憶した第１及び第２の記憶部３１、３２と、第２のＳＷ３３と、レベル判定部２２５とを備える。【０１４９】
周波数帯指定部２２１が移動機１０に対して受信周波数帯の指定を行い、指定信号を出力する。実際の指定信号は無線回線を通じて移動機１０に伝送されるが、図中は点線で示している。【０１５０】
この指定信号は、移動機無線制御部４０を介して周波数帯判定部２７に出力される。周波数帯判定部２７は、実施例７と同様に指定された受信周波数帯の高低を判定する。【０１５１】
受信周波数帯が高いとき、移動機１０は、受信ダイバシチブランチの電源をオンにし、レベル測定結果を「１」アンテナあたりに補正された結果として出力する。一方、受信周波数帯が低いとき、移動機１０は受信ダイバシチブランチの電源をオフにし、補正を行わないレベル測定結果を出力する。【０１５２】
レベル測定結果は、移動機無線制御部４０を介して、網側無線制御部２２０に出力され、レベル判定部２２５の判定に供される。この測定結果も無線回線を通じて基地局２００に出力されるが、図中、点線で示している。【０１５３】
周波数帯指定部２２１からの指定された受信周波数は第２のＳＷ３３に出力され、この周波数帯の高低により第２のＳＷ３３は、第１の閾値又は第２の閾値を選択して出力する。この場合、実施例９と同様に、第２のＳＷ３３は、高い受信周波数帯のとき（移動機１０の受信ダイバシチがオンのとき）、第１の閾値（＜第２の閾値）を選択し、低い受信周波数帯のとき（受信ダイバシチがオフのとき）、本来の第２の閾値を選択する。【０１５４】
受信ダイバシチがオンのとき、本来よりも低いレベル測定結果が移動機１０から出力されるため、ハンドオーバや終話の条件である閾値を低い方の閾値（第１の閾値）を選択して、その条件を判断する。一方、受信ダイバシチがオフのとき、「１」アンテナあたりの本来のレベル測定結果が出力されるため、本来の閾値（第２の閾値）を選択してその条件を判断する。【０１５５】
基地局内で、周波数帯指定部２２１が第２のＳＷ３３を制御し、ハンドオーバや終話条件の基準である閾値を、周波数帯に応じて（移動機１０の受信ダイバシチのオン、オフや補正処理の有無に応じて）変えるようにしているため、「ハンドオーバ」や「終話」を起動するか否かを、適切に基地局２００内で判断することができる。また、それ以外の構成は実施例７と同様であるため、通信品質を保ちつつ収容数を適正に増やすことができる、という実施例７の効果を本実施例１０においても奏することができる。【０１５６】
尚、移動機１０側の構成に関し、実施例３や実施例４のように、ｎ本の受信アンテナ１１‐１〜１１‐ｎによりアンテナを構成してもよいし、その出力に重み付けを行うようにしても、同様に実施可能で、同様の作用効果を奏する。
【実施例１１】
【０１５７】
次に実施例１１について説明する。本実施例１１は、実施例１０と同様に基地局２００側で「ハンドオーバ」や「終話」の判定を行うが、移動機１０側から更に測定モードを報告してもらい、それに応じて判定を行うようにした例である。指定した受信周波数帯のみからでは、移動機１０の受信ダイバシチのオン、オフと１対１の関係にない場合もあり得るからである。【０１５８】
図１６は、本実施例１１におけるシステム全体の構成例である。略図１５（実施例１０）と同様であるが、第２のＳＷ３３は周波数帯指定部２２１からの情報ではなく、移動機１０の周波数帯判定部２７からの測定モード（受信ダイバシチのオン、オフ或いは補正処理の有無）に応じて選択すべき閾値を切り替えている。【０１５９】
例えば、周波数帯判定部２７が補正の有無に関する情報を測定モードとして報告するときは、以下のようになる。即ち、補正あり（受信ダイバシチオン）のときは、第２のＳＷ３３は第１の閾値を選択し（本例でも第１の閾値＜第２の閾値の関係があるものとする）、レベル判定部２２５においてレベル判定に供される。一方、補正なし（受信ダイバシチオフ）のときは、第２のＳＷ３３は第２の閾値を選択する。【０１６０】
第２のＳＷ３３の判断が、移動機１０からの測定モードにより行われている点を除けば、本実施例１１は実施例１０と同様である。従って、本実施例１１は、実施例１０と同様に、「ハンドオーバ」や「終話」の処理を起動するか否かを適切に基地局で判断することができ、更に、通信品質を保ちつつ、収容数を適正に増やすことができる、という効果を奏する。【０１６１】
本実施例１１でも、ｎ本の受信アンテナ１１‐１〜１１‐ｎによりアンテナを構成してもよいし、その出力に重み付けを行うようにしても、同様に実施可能で、同様の作用効果を奏する。
【実施例１２】
【０１６２】
次に実施例１２について説明する。本実施例１２は、基地局からの信号送信の際の電力を増減制御する閉ループ送信電力制御機能を有する移動機１０において、送信信号レベルの増減を、サービス種別に応じて（即ち、受信ダイバシチのオン、オフにより）、切り替えるようにした例である。【０１６３】
図１７は、本実施例１２における移動機１０の構成例である。第３及び第４の記憶部５１、５２に第１及び第２の目標レベルが記憶され、レベル判定部５３により受信信号のレベルを判定し、電力制御ビット生成部５４により受信信号のレベルが低いと送信電力を上げるようにするためのビットを生成し、受信信号のレベルが高いと送信電力を下げるようにするためのビットを生成する。このビットが電力制御情報として基地局に送信される。【０１６４】
サービス種別判定部２８が、音声通信のサービスと判定したとき、ダイバシチＯｎ／Ｏｆｆ制御部２６は受信ダイバシチをオンからオフに切り替える。このとき、移動機１０は受信ダイバシチをオフにするため受信感度が悪くなる。従って、受信レベルを高くするように基地局側に求めることで通信品質を確保することができる。【０１６５】
この場合、第２のＳＷ３３は、高い目標レベルである第１の目標レベルを選択して、レベル判定部５３に出力する。レベル判定部５３では、第１の目標レベルと、「１」アンテナ分のレベル測定結果（受信ダイバシチがオフのため、補正していないレベル測定結果が得られる）とが比較され、概ね受信ダイバシチオンとオフとの受信レベルの差分程度、だけ大きい受信レベルが得られるような判定結果を出力する。電力制御ビット生成部５４では、この判定結果に基づくビットを生成して基地局に送信する。基地局ではこの電力制御情報に基づいて、移動機１０への下りの送信レベルを上げるよう制御することになる。【０１６６】
一方、サービス種別判定部２８が画像通信サービスと判定したとき、受信ダイバシチはオフからオンに切り替わる。このとき、移動機１０は受信ダイバシチ機能により、それまでの受信レベルは必ずしも必要ない。従って、移動機１０は、受信ダイバシチを機能させるのに十分な受信レベルまで下げるよう基地局に要求する。【０１６７】
この場合、第２のＳＷ３３は、低い目標レベルである第２の目標レベルを選択して、レベル判定部５３に出力する。レベル判定部５３では、第２の目標レベルと、補正後のレベル測定結果（受信ダイバシチオンのため、補正後のレベル測定結果が得られる）とを比較して、概ね受受信ダイバシチを機能させるのに十分な値まで下げる程度の受信レベルが得られるような判定結果を出力する。電力制御ビット生成部５４では、この判定結果に基づいて電力制御情報を基地局に送信し、基地局では移動機１０に対して、受信ダイバシチを機能させるのに十分な送信レベルまで下りの送信レベルを下げることになる。【０１６８】
このように、通信サービスの種別により（受信ダイバシチのオン、オフにより）、閉ループ送信電力制御機能における目標送信レベルを基地局に要求するようにしたので、本実施例１２では、基地局側では適切に移動機１０に対する電力制御を行い得る。【０１６９】
また、それ以外の構成は実施例７の図１１と同一構成のため、本実施例１２でも、通信品質を保ちつつ、収容数を適正に増やす、という効果を奏することができる。【０１７０】
尚、本実施例１２では、サービス種別判定部２８でのサービス種別により判定するようにしたが、例えば、受信信号の信号種別の判定（受信信号種別判定部２５）や受信周波数帯の判定（受信周波数帯判定部２７）を用いても同様に実施可能で同様の作用効果を奏する。更に、受信アンテナもｎ本あってもよいし、各出力に重み付けを行ってもよい。
【実施例１３】
【０１７１】
次に実施例１３について説明する。前述の実施例１２では、サービス種別により、送信目標レベルを設定するようにしたが、本実施例１３では、この要求（電力制御情報）を受信ダイバシチのオン、オフが切り替わる前に予め基地局に要求し、目標レベルになってから受信ダイバシチのオン、オフが切り替わるようにした例である。【０１７２】
図１８は、本実施例１３における移動機１０の構成例である。前述の図１７と略同一であるが、サービス種別判定部２８からは、第２のＳＷ３３への切り替えのための信号であるＴａｒｇｅｔ＿ｓｅｌが先に出力され、ダイバシチのオン、オフを切り替えるための信号であるＤｉｖ＿ｏｎや補正処理の有無を切り替えるためのＭｅａｎｓ＿ｍｏｄｅがある一定遅延時間分だけ遅れて出力される。【０１７３】
図１９は切り替えのタイミングを説明するための図である。例えば、現在「画像通信」が行われ、上位レイヤから「音声通信」への切り替えが指示されると（図中、下線矢印で示す）、受信ダイバシチがオフとなる。従って、目標送信レベルを上げるよう要求するべく、高い方の目標レベル（第１の目標レベル、図中、「目標ＳＩＲ１」）が選択されるように、Ｔａｒｇｅｔ＿ｓｅｌが第２のＳＷ３３に出力される。その後、電力制御情報が基地局に出力され、基地局の電力制御により、除々に目標受信レベルが増加する。そして、目標レベルに到達した後に、Ｄｉｖ＿ｏｎが、オンからオフを示す信号に切り替えられ、略同時に、Ｍｅａｎｓ＿ｍｏｄｅも補正なしから補正ありを示す信号に切り替えられる。【０１７４】
Ｔａｒｇｅｔ＿ｓｅｌが出力されてから、Ｄｉｖ＿ｏｎやＭｅａｎｓ＿ｍｏｄｅが出力されるための遅延時間が、図に示すように「τ１」である。【０１７５】
このように、下りの送信レベルが十分確保されてから、受信ダイバシチがオフに切り替わるため、「画像通信」から「音声通信」へ途切れることなくスムースに移行することができる。【０１７６】
一方、移動機１０が「音声通信」中に、上位レイヤから「画像通信」への切り替えが指示されたとき、先にＤｉｖ＿ｏｎとＭｅａｎｓ＿ｍｏｄｅの信号を出力して、受信ダイバシチをオフからオン等に切り替える。オンに切り替えても、暫くは、受信レベルは高いまま維持されるため、画像の通信を行うことができ、高品質通信を確保できる。そして、遅延時間「τ２」経過後、Ｔｒａｇｅｔ＿ｓｅｌを出力して、目標レベルを第２の目標レベルにする。その後、除々に受信レベルが減少し、目標レベルに移行する。【０１７７】
このように本実施例１３では、早めに目標受信レベルに移行することができるため、途切れることなく通信を確保することができる。それ以外の構成は、前述の実施例１２と同様のため、本実施例１３では、基地局では移動機１０に対して適切に電力制御を行うことができ、また、通信品質を確保しつつ収容数を適正に増やすことができる、という効果を奏する。【０１７８】
本実施例１３でも、ｎ本の受信アンテナを構成してもよいし、その出力に対して重み付けを行うようにしてもよい。    
【産業上の利用可能性】
【０１７９】
本発明は、Ｗ‐ＣＤＭＡ方式による携帯電話に利用して好適である。
【図１】
0004541414.tif 000002
【図２】
0004541414.tif 000003
【図３】
0004541414.tif 000004
【図４】
0004541414.tif 000005
【図５】
0004541414.tif 000006
【図６】
0004541414.tif 000007
【図７】
0004541414.tif 000008
【図８】
0004541414.tif 000009
【図９】
0004541414.tif 000010
【図１０】
0004541414.tif 000011
【図１１】
0004541414.tif 000012
【図１２】
0004541414.tif 000013
【図１３】
0004541414.tif 000014
【図１４】
0004541414.tif 000015
【図１５】
0004541414.tif 000016
【図１６】
0004541414.tif 000017
【図１７】
0004541414.tif 000018
【図１８】
0004541414.tif 000019
【図１９】
0004541414.tif 000020
【図２０】
0004541414.tif 000021